(57)【要約】      （修正有）【課題】筐体の前後に突出せずに、筐体の転倒を防ぐことができる転倒防止装置を提供する。【解決手段】楽器ケースの両側の脚部６が配置される一対の敷台３を備えた転倒防止装置１において、敷台３の上面における前後の両端部に設けられた前後一対の傾斜部７、８と、これら前後一対の傾斜部７、８間に設けられた載置部９と、この載置部９と一対の傾斜部７、８との各境界部に設けられて脚部６の前後方向の位置を規制する前後一対の位置規制部１０、１１とを備えている。従って、楽器ケースが前後に傾く際に、位置規制部１０、１１の一方によって楽器ケースを位置規制した状態で、楽器ケースを前後方向に傾かせることができ、かつ傾いた楽器ケースを傾斜部７、８の一方の反発力で押し戻すことができる。これにより、楽器ケースの転倒を防ぐと共に、敷台３の長さを楽器ケース前後方向の長さとほぼ同じ長さに形成できる。【選択図】図２
2014140507.tif 000002
【特許請求の範囲】
【請求項１】
筺体の両側下部にそれぞれ配置され、その各上面における前後の両端部に、前記筐体を前後方向に傾かせるための前後一対の傾斜部を設けると共に、これら前後一対の傾斜部間に平坦な載置部を設けた一対の敷台と、
前記載置部と前記一対の傾斜部との各境界部にそれぞれ設けられて、前記筺体の前後方向の位置を規制する前後一対の位置規制部と
を備えていることを特徴とする転倒防止装置。
【請求項２】
請求項１に記載の転倒防止装置において、前記一対の傾斜部は、これらに前記筐体の下面がそれぞれ当接した際に、前記筐体の重心が前記一対の位置規制部間に対応する範囲内で移動する傾斜角度にそれぞれ形成されていることを特徴とする転倒防止装置。
【請求項３】
請求項１または請求項２に記載の転倒防止装置において、前記一対の位置規制部は、前記載置部と前記一対の傾斜部との各境界部にそれぞれ設けられた前後一対の位置規制軸部と、前記筐体の下面に設けられて前記一対の位置規制軸部がそれぞれ回転可能に係合する前後一対の位置規制凹部とを備えていることを特徴とする転倒防止装置。
【請求項４】
請求項１〜請求項３のいずれかに記載の転倒防止装置において、前記敷台の前記一対の傾斜部とこれに対向する前記筐体の下面との間にそれぞれ配置され、かつ前記筐体を弾力的に押し上げる方向に付勢する前後一対の付勢部材を備えていることを特徴とする転倒防止装置。
【請求項５】
請求項４に記載の転倒防止装置において、前記付勢部材を前記敷台と前記筐体とにそれぞれ固定するための固定部材を備えていることを特徴とする転倒防止装置。
【請求項６】
請求項１〜請求項５のいずれかに記載の転倒防止装置において、前記筐体は鍵盤楽器の楽器ケースであり、前記一対の敷台は前記楽器ケースの両側にそれぞれ設けられた脚部が配置されることを特徴とする転倒防止装置。
【発明の詳細な説明】
【技術分野】
【０００１】
この発明は、鍵盤楽器や家具などの筐体の転倒を防ぐための転倒防止装置に関する。
【背景技術】
【０００２】
例えば、アップライト型の鍵盤楽器に用いられる転倒防止装置においては、特許文献１に記載されているように、楽器ケースの脚部に設けられたキャスタが挿入するキャスタ挿入部を有する敷板と、この敷板上に取り付けられてキャスタを敷板に固定するキャスタ止め金具とを備えた構成のものが知られている。
【先行技術文献】
【特許文献】
【０００３】
【特許文献１】特開平１１−１０９９４９号公報
【発明の概要】
【発明が解決しようとする課題】
【０００４】
しかしながら、このような転倒防止装置では、敷板上に楽器ケースの脚部を確実に固定することができても、敷板を楽器ケースの前後方向の長さよりも長く形成して、楽器ケースの前後方向に十分に長く突出させなければ、楽器ケースの転倒を防ぐことができないため、楽器ケースの前後に突出した敷板の突出部分が邪魔になるばかりか、楽器ケースの設置スペースが制約を受け、設置スペースが広くなるなどの問題がある。
【０００５】
この発明が解決しようとする課題は、筐体の前後に突出せずに、筐体の転倒を防ぐことができる転倒防止装置を提供することである。
【課題を解決するための手段】
【０００６】
この発明は、筺体の両側下部にそれぞれ配置され、その各上面における前後の両端部に、前記筐体を前後方向に傾かせるための前後一対の傾斜部を設けると共に、これら前後一対の傾斜部間に平坦な載置部を設けた一対の敷台と、前記載置部と前記一対の傾斜部との各境界部にそれぞれ設けられて、前記筺体の前後方向の位置を規制する前後一対の位置規制部とを備えていることを特徴とする転倒防止装置である。
【発明の効果】
【０００７】
この発明によれば、筐体が前後に傾く際に、前後一対の位置規制部のいずれか一方によって筺体を位置規制した状態で前後方向に傾かせることができると共に、傾いた筐体の下面が敷台の前後一対の傾斜部のいずれか一方に当接した際に、その一方の傾斜部の反発力によって筺体を元の状態に押し戻すことができる。これにより、筐体の転倒を防ぐことができると共に、敷台の前後方向の長さを筐体の前後方向の長さとほぼ同じか、それよりも短くすることができるので、敷台が筐体の前後に突出することがなく、筺体の設置スペースを制約せずに最小限に抑えることができる。
【図面の簡単な説明】
【０００８】
【図１】この発明に係る転倒防止装置を鍵盤楽器に適用した第１実施形態を示した側面図である。
【図２】図１に示された転倒防止装置を示した要部の拡大断面図である。
【図３】図２に示された転倒防止装置の敷台を示し、（ａ）はその拡大断面図、（ｂ）は（ａ）のＡ−Ａ矢視における拡大断面図、（ｃ）は（ａ）の拡大平面図である。
【図４】図２に示された転倒防止装置における楽器ケースの脚部を示し、（ａ）はその要部の拡大断面図、（ｂ）は（ａ）の拡大底面図である。
【図５】図２に示された転倒防止装置において、楽器ケースを前方に傾けた状態を示した要部の拡大断面図である。
【図６】図２に示された転倒防止装置において、楽器ケースを後方に傾けた状態を示した要部の拡大断面図である。
【図７】この発明に係る転倒防止装置を鍵盤楽器に適用した第２実施形態において、その要部を示した拡大断面図である。
【図８】図７に示された転倒防止装置の敷台を示し、（ａ）はその拡大断面図、（ｂ）は（ａ）の拡大平面図、（ｃ）は（ａ）の敷台に固定部材を取り付けた状態を示した拡大断面図、（ｄ）は（ｃ）の拡大底面図である。
【図９】図７に示された転倒防止装置における楽器ケースの脚部を示し、（ａ）はその要部の拡大断面図、（ｂ）は（ａ）の拡大底面図である。
【図１０】図７に示された転倒防止装置において、楽器ケースを前方に傾けた状態を示した要部の拡大断面図である。
【図１１】図７に示された転倒防止装置において、楽器ケースを後方に傾けた状態を示した要部の拡大断面図である。
【発明を実施するための形態】
【０００９】
（第１実施形態）
以下、図１〜図６を参照して、この発明に係わる転倒防止装置を鍵盤楽器に適用した第１実施形態について説明する。
この転倒防止装置１は、図１に示すように、鍵盤楽器２の両側（図１では紙面の表裏方向）における下部がそれぞれ配置される一対の敷台３を備えている。この場合、鍵盤楽器２は、アップライト型のピアノであり、鍵盤部４を収容する楽器ケース５と、この楽器ケース５の両側下部に設けられた一対の脚部６とを備えている。
【００１０】
敷台３は、図１〜図３に示すように、その上面における前後（図２では左右）にそれぞれ設けられた前後一対の傾斜部７、８と、これら一対の傾斜部７、８間に位置する敷台３の上面に設けられた平坦な載置部９と、この載置部９と一対の傾斜部７、８との各境界部にそれぞれ設けられて楽器ケース５の脚部６の前後方向（図２では左右方向）における位置をそれぞれ規制する前後一対の位置規制部１０、１１とを備えている。
【００１１】
この場合、敷台３は、図３（ａ）〜図３（ｃ）に示すように、全体が台形状の細長い箱状をなし、その下面側が開放された中空状に形成されている。この敷台３は、その前後方向（図３（ａ）では左右方向）の長さが、楽器ケース５の前後方向の長さ、つまり楽器ケース５の脚部６の前後方向の長さと、ほぼ同じ長さに形成されている。
【００１２】
また、前後一対の傾斜部７、８は、図２および図３に示すように、敷台３の各前後端に向けて緩やかに傾斜するように形成されている。すなわち、前後一対の傾斜部７、８は、図５および図６に示すように、これらに楽器ケース５の脚部６の下面がそれぞれ当接した際に、鍵盤楽器２の重心が後述する前後一対の位置規制部１０、１１間に対応する範囲内で移動する傾斜角度にそれぞれ形成されている。
【００１３】
この場合、前側の傾斜部７は、図２および図３に示すように、敷台３の前端部（図２では左側端部）に向けて徐々に低くなるように、左下がりに傾斜している。これにより、前側の傾斜部７は、図５に示すように、楽器ケース５が前方（図５では左側）に傾いて楽器ケース５の脚部６の下面が当接した際に、鍵盤楽器２全体の重心が後述する前側の位置規制部１０よりも前方（図５では左側）に移動しない傾斜角度、例えば１５度程度の傾斜角度で形成されている。
【００１４】
同様に、後側の傾斜部８は、図２および図３に示すように、敷台３の後端部（図２では右側端部）に向けて徐々に低くなるように、右下がりに傾斜している。これにより、後側の傾斜部８は、図６に示すように、楽器ケース５が後方（図６では右側）に傾いて楽器ケース５の脚部６の下面が当接した際に、鍵盤楽器２全体の重心が後述する後側の位置規制部１１よりも後方（図６では右側）に移動しない傾斜角度、例えば１５度程度の傾斜角度で形成されている。
【００１５】
載置部９は、図１および図２に示すように、その上面に楽器ケース５の脚部６における下面の中間部が配置されるように、平坦面に形成されている。また、この載置部９の前後に位置する一対の位置規制部１０、１１は、図２〜図４に示すように、載置部９と前後一対の傾斜部７、８との各境界部にそれぞれ設けられた前後一対の位置規制軸部１２、１３と、楽器ケース５の脚部６の下面に設けられて一対の位置規制軸部１２、１３がそれぞれ回転可能に係合する前後一対の位置規制凹部１４、１５とを備えている。
【００１６】
すなわち、前後一対の位置規制軸部１２、１３のうち、前側の位置規制軸部１２は、図３（ａ）〜図３（ｃ）に示すように、載置部９の前部（図３（ａ）では左側）と前側の傾斜部７の上端部との境界部に位置し、かつ敷台３の長手方向に対して直交する幅方向の両側にそれぞれ上方に向けて突出して設けられたほぼ半円板の一対の支持部１６と、この一対の支持部１６の中心部間に架け渡された係止軸１７とを有している。この場合、一対の支持部１６間に位置する敷台３の上面には、円弧状の凹溝１８が設けられている。
【００１７】
同様に、後側の位置規制軸部１３も、図３（ａ）〜図３（ｃ）に示すように、載置部９の後部（図３（ａ）では右側）と後側の傾斜部８の上端部との境界部に位置し、かつ敷台３の長手方向に対して直交する幅方向の両側にそれぞれ上方に向けて突出して設けられたほぼ半円板の一対の支持部１９と、この一対の支持部１９の中心部間に架け渡された係止軸２０とを有している。この場合にも、一対の支持部１９間に位置する敷台３の上面には、円弧状の凹溝２１が設けられている。
【００１８】
一方、前後一対の位置規制凹部１４、１５は、図２および図４に示すように、楽器ケース５の脚部６の下面に取り付けられた補強板２２に設けられている。すなわち、この補強板２２は、金属からなる帯状の板であり、その長手方向の長さが敷台３の載置部９における長手方向の長さよりも長く形成され、その前後の各端部２２ａ、２２ｂが一対の傾斜部７、８に対応する箇所に突出する長さに形成されている。
【００１９】
また、この補強板２２は、図２および図４に示すように、その長手方向と直交する幅方向の長さが、前後一対の位置規制軸部１２、１３の各係止軸１７、１９とほぼ同じ長さ、つまり一対の支持部１６、１９の各間の長さとほぼ同じ長さで形成されている。さらに、この補強板２２は、楽器ケース５の脚部６の底面に設けられた取付凹部６ｃ内に配置された状態で複数のビス２２ｃによって取り付けられている。
【００２０】
そして、前側の位置規制凹部１４は、図４（ａ）および図４（ｂ）に示すように、補強板２２の前部側（図４（ａ）では左側）に設けられて、前側の係止軸１７が回転可能に係合する凹溝部２３を有している。この場合、楽器ケース５の脚部６における取付凹部６ｃの前部側に位置する箇所には、前側の位置規制軸部１２における一対の支持部１６の各上部が、それぞれ補強板２２の側方を通して回転可能に挿入する一対の半円弧溝２４と、補強板２２の前部側に位置する凹溝部２３が挿入する装着凹部２５とが設けられている。
【００２１】
同様に、後側の位置規制凹部１５は、図４（ａ）および図４（ｂ）に示すように、補強板２２の後部側（図４（ａ）では右側）に設けられて、後側の係止軸２０が回転可能に係合する凹溝部２６を有している。この場合にも、楽器ケース５の脚部６における取付凹部６ｃの後部側に位置する箇所には、後側の位置規制軸部１３における一対の支持部１９の各上部が、それぞれ補強板２２の側方を通して回転可能に挿入する一対の半円弧溝２７と、補強板２２の後部側に位置する凹溝部２６が挿入する装着凹部２８とが設けられている。
【００２２】
これにより、前後一対の位置規制部１０、１１のうち、前側の位置規制部１０は、図５に示すように、楽器ケース５の脚部６が敷台３の載置部９上に配置された状態で、楽器ケース５が前側（図５では左側）に傾いた際に、前側の位置規制軸部１２における一対の支持部１６が、前側の位置規制凹部１４における補強板２２の側方を通して、脚部６の一対の半円弧溝２４内に挿入した状態で相対的に回転し、かつ一対の支持部１６間の係止軸１７が、補強板２２の凹溝部２３に係合した状態で相対的に回転するように構成されている。
【００２３】
このため  前側の位置規制部１０は、図５に示すように、楽器ケース５が前側（図５では左側）に傾いた際に、後側の位置規制部１１における後側の位置規制凹部１５が後側の位置規制軸部１３から上方に離脱しても、楽器ケース５の脚部６の下面が前側の傾斜部７に沿って滑り下りないように、楽器ケース５の脚部６を係止するように構成されている。また、この前側の位置規制部１０は、鍵盤楽器２全体の重量が前側の位置規制軸部１２の係止軸１７に集中しても、その集中した重量を敷台３の前後方向に沿って分散させて、敷台３の下面全体で受け止めるように構成されている。
【００２４】
また、後側の位置規制部１１は、図６に示すように、楽器ケース５の脚部６が敷台３の載置部９上に配置された状態で、楽器ケース５が後側（図６では右側）に傾いた際に、後側の位置規制軸部１３における一対の支持部１９が、後側の位置規制凹部１５における補強板２２の側方を通して、脚部６の一対の半円弧溝２７内に挿入した状態で相対的に回転し、かつ一対の支持部１９間の係止軸２０が、補強板２２の凹溝部２６に係合した状態で相対的に回転するように構成されている。
【００２５】
このため、後側の位置規制部１１も、図６に示すように、楽器ケース５が後側（図６では右側）に傾いた際に、前側の位置規制部１０における前側の位置規制凹部１４が前側の位置規制軸部１２から上方に離脱しても、楽器ケース５の脚部６の下面が後側の傾斜部８に沿って滑り下りないように、楽器ケース５の脚部６を係止するように構成されている。また、この後側の位置規制部１１も、鍵盤楽器２全体の重量が後側の位置規制軸部１３の係止軸２０に集中しても、その集中した重量を敷台３の前後方向に沿って分散させて、敷台３の下面全体で受け止めるように構成されている。
【００２６】
次に、このような転倒防止装置１の作用について説明する。
まず、楽器ケース５の両側下部に位置する脚部６を一対の敷台３上に配置する。このときには、前後一対の位置規制部１０、１１によって楽器ケース５の脚部６を敷台３上に位置規制して配置する。すなわち、楽器ケース５の脚部６を敷台３の載置部９上に配置する際には、図２に示すように、前側の位置規制部１０における前側の位置規制軸部１２に前側の位置規制凹部１４を係合させると共に、後側の位置規制部１１における後側の位置規制軸部１３に後側の位置規制凹部１５を係合させる。
【００２７】
この場合、前側の位置規制軸部１２に前側の位置規制凹部１４を係合させる際には、図２〜図４に示すように、前側の位置規制軸部１２における一対の支持部１６を前側の位置規制凹部１４における補強板２２の側方に位置させ、この状態で一対の支持部１６の各上部を補強板２２の側方から脚部６の一対の半円弧溝２４内にそれぞれ挿入させると共に、一対の支持部１６間の係止軸１７に補強板２２の凹溝部２３を係合させる。
【００２８】
同様に、後側の位置規制軸部１３に後側の位置規制凹部１５を係合させる際には、図２〜図４に示すように、後側の位置規制軸部１３における一対の支持部１９を後側の位置規制凹部１５における補強板２２の側方に位置させ、この状態で一対の支持部１９の各上部を補強板２２の側方から脚部６の一対の半円弧溝２７内にそれぞれ挿入させると共に、一対の支持部１９間の係止軸２０に補強板２２の凹溝部２６に係合させる。
【００２９】
これにより、楽器ケース５の脚部６が前後一対の位置規制部１０、１１によって前後方向に位置規制されて敷台３の載置部９上に配置される。この状態では、図５および図６に示すように、楽器ケース５が前後方向に傾いても、前後一対の位置規制部１０、１１のいずれか一方によって楽器ケース５の脚部６が前後方向に移動しないように位置規制される。
【００３０】
すなわち、図５に示すように、楽器ケース５が前方（図５では左側）に傾いた際に、前側の位置規制軸部１２における一対の支持部１６間の係止軸１７に、補強板２２の凹溝部２３が係合していることにより、後側の位置規制部１１における後側の位置規制凹部１５が後側の位置規制軸部１３から上方に離脱しても、楽器ケース５の脚部６の下面が前側の傾斜部７に沿って滑り下りることがないばかりか、鍵盤楽器２全体の重量が前側の位置規制軸部１２の係止軸１７に集中しても、その集中した重量が敷台３の前後方向に沿って分散される。
【００３１】
このため、鍵盤楽器２全体の重量を敷台３の下面全体で受け止めることにより、楽器ケース５が転倒することなく、敷台３によって鍵盤楽器２が安定した状態で保持される。また、このときに、楽器ケース５が前方（図５では左側）に傾いて、楽器ケース５の脚部６の下面が敷台３の前側の傾斜部７上に当接した際には、前側の傾斜部７の反発力および鍵盤楽器２の重心位置の戻りによって、脚部６が元の状態に押し戻されるので、これによっても鍵盤楽器２が安定した状態で保持される。
【００３２】
すなわち、前側の傾斜部７は、その傾斜角度が緩やかであるから、楽器ケース５の脚部６の下面が敷台３の前側の傾斜部７上に当接しても、鍵盤楽器２の重心が敷台３の前側の位置規制部１０よりも前方（図５では左側）に移動することがない。このため、前側の傾斜部７の反発力によって脚部６の下面が押し戻されると共に、鍵盤楽器２の重心が元の位置に戻ることにより、楽器ケース５が転倒することなく、鍵盤楽器２を安定した状態で保持することができる。
【００３３】
同様に、図６に示すように、楽器ケース５が後方（図６では右側）に傾いた際に、後側の位置規制軸部１３における一対の支持部１９間の係止軸２０に、補強板２２の凹溝部２６が係合していることにより、前側の位置規制部１０における前側の位置規制凹部１４が前側の位置規制軸部１２から上方に離脱しても、楽器ケース５の脚部６の下面が後側の傾斜部８に沿って滑り下りることがないばかりか、鍵盤楽器２全体の重量が後側の位置規制軸部１３の係止軸２０に集中しても、その集中した重量が敷台３の前後方向に沿って分散される。
【００３４】
このため、鍵盤楽器２全体の重量を敷台３の下面全体で受け止めることにより、楽器ケース５が転倒することなく、敷台３によって鍵盤楽器２が安定した状態で保持される。また、このときに、楽器ケース５が後方（図６では右側）に傾いて、楽器ケース５の脚部６の下面が敷台３の後側の傾斜部８上に当接した際には、後側の傾斜部８の反発力および鍵盤楽器２の重心位置の戻りによって、脚部６が元の状態に押し戻されるので、これによっても鍵盤楽器２が安定した状態で保持される。
【００３５】
すなわち、後側の傾斜部８は、その傾斜角度が、前側の傾斜部７の傾斜角度と同様、緩やかであるから、楽器ケース５の脚部６の下面が敷台３の後側の傾斜部８上に当接しても、鍵盤楽器２の重心が敷台３の後側の位置規制部１１よりも後方（図６では右側）に移動することがない。このため、後側の傾斜部８の反発力によって脚部６の下面が押し戻されると共に、鍵盤楽器２の重心が元の位置に戻ることにより、楽器ケース５が転倒することなく、鍵盤楽器２を安定した状態で保持することができる。
【００３６】
このように、この転倒防止装置１によれば、楽器ケース５の両側に位置する一対の脚部６がそれぞれ配置される一対の敷台３を備え、この敷台３の上面における前後の両端部にそれぞれ設けられ、かつ楽器ケース５を前後方向に傾かせるための前後一対の傾斜部７、８と、これら前後一対の傾斜部７、８間に位置する敷台３の上面に設けられた平坦な載置部９と、この載置部９と一対の傾斜部７、８との各境界部にそれぞれ設けられて、楽器ケース５の脚部６における前後方向の位置を規制する前後一対の位置規制部１０、１１とを備えていることにより、敷台３が楽器ケース５の前後に突出せずに、敷台３によって楽器ケース５の転倒を防ぐことができる。
【００３７】
すなわち、この転倒防止装置１では、楽器ケース５が前後に傾く際に、前後一対の位置規制部１０、１１のいずれか一方によって楽器ケース５の脚部６を位置規制した状態で、楽器ケース５を前後方向に傾かせることができると共に、傾いた楽器ケース５の脚部８の下面が敷台３の傾斜部７、８のいずれか一方に当接した際に、その一方の傾斜部７、８の反発力によって、楽器ケース５を元の状態に押し戻すことができる。
【００３８】
これにより、楽器ケース５の前後方向への転倒を確実にかつ良好に防ぐことができると共に、敷台３の前後方向の長さを楽器ケース５の前後方向の長さとほぼ同じか、それよりも短くすることができるので、敷台３が楽器ケース５の前後に突出することがなく、楽器ケース５の設置スペースを制約せずに最小限に抑えることができる。
【００３９】
この場合、前後一対の傾斜部７、８は、これらのいずれか一方に楽器ケース５の脚部６の下面が当接した際に、鍵盤楽器２の重心が一対の位置規制部１０、１１間に対応する範囲内で移動する傾斜角度で緩やかに形成されているので、楽器ケース５の脚部６の下面が敷台３の前後一対の傾斜部７、８のいずれか一方に当接しても、鍵盤楽器２の重心が敷台３の前後一対の位置規制部１０、１１よりも前後方向に移動することがない。
【００４０】
このため、前後一対の傾斜部７、８は、その反発力によって脚部６の下面を確実に押し戻すことができると共に、鍵盤楽器２全体の重心が元の位置に戻ることによって、楽器ケース５を元の状態に確実にかつ良好に戻すことができ、これにより楽器ケース５の転倒を防いで、鍵盤楽器２を安定した状態で確実にかつ良好に保持することができる。
【００４１】
また、前後一対の位置規制部１０、１１は、敷台３の載置部９と前後一対の傾斜部７、８との各境界部にそれぞれ設けられた前後一対の位置規制軸部１２、１３と、楽器ケース５の脚部６の下面に設けられて一対の位置規制軸部１２、１３がそれぞれ回転可能に係合する前後一対の位置規制凹部１４、１５とを備えているので、前後一対の位置規制部１０、１１のいずれか一方によって、楽器ケース５の脚部６における前後方向の位置を確実に規制することができる。
【００４２】
すなわち、前後一対の位置規制部１０、１１によれば、敷台３の前後一対の位置規制軸部１２、１３に楽器ケース５の脚部６における前後一対の位置規制凹部１４、１５を回転可能な状態で係合させることができ、これにより楽器ケース５を前後方向に傾かせることができると共に、楽器ケース５が前後方向に傾いても、前後一対の位置規制部１０、１１のいずれか一方によって、楽器ケース５の脚部６における前後方向の位置を確実にかつ良好に規制することができる。
【００４３】
この場合、前後一対の位置規制軸部１２、１３は、それぞれ敷台３の載置部９と前記一対の傾斜部７、８との各境界部にそれぞれ設けられた一対の支持部１６、１９と、これら一対の支持部１６、１９の各間に設けられた係止軸１７、２０とを有し、前後一対の位置規制凹部１４、１５は、楽器ケース５の脚部６の下面に設けられた補強板２２に、前後一対の係止軸１７、２０が回転可能に係合する前後一対の凹溝部２３、２６とを有しているので、前後一対の係止軸１７、２０を前後一対の凹溝部２３、２６にそれぞれ回転可能な状態で確実に係合させることができる。
【００４４】
これにより、楽器ケース５の脚部６を前後一対の位置規制部１０、１１によって位置規制して敷台３の載置部９上に配置することができるので、楽器ケース５が前後方向に傾いても、前後一対の位置規制部１０、１１のいずれか一方によって、楽器ケース５の脚部６が前後方向に移動するのを確実にかつ良好に防ぐことができる。このため、楽器ケース５が前後に傾いた際に、楽器ケース５の脚部６の下面が前後一対の傾斜部７、８のいずれか一方に沿って滑り下りることがない。
【００４５】
また、楽器ケース５が前後に傾いた際には、鍵盤楽器２全体の重量が前後一対の位置規制軸部１２、１３の各係止軸１７、２０のいずれか一方に集中しても、その集中した重量を敷台３の前後方向に沿って分散することができ、これにより鍵盤楽器２全体の重量を敷台３の下面全体で受け止めることができるので、楽器ケース５の転倒を防いで、敷台３上に鍵盤楽器２を安定した状態で確実にかつ良好に保持することができる。
【００４６】
（第２実施形態）
次に、図７〜図１１を参照して、この発明に係る転倒防止装置を鍵盤楽器に適用した第２実施形態について説明する。なお、図１〜図６に示された第１実施形態と同一部分には同一符号を付して説明する。
この転倒防止装置３０は、図７に示すように、敷台３と楽器ケース５の脚部６との間に配置された前後一対のばね部材３１、３２と、これら前後一対のばね部材３１、３２をそれぞれ固定する前後一対の固定部材３３、３４とを備えた構成であり、これ以外は第１実施形態とほぼ同じ構成になっている。
【００４７】
この場合、敷台３の前後一対の傾斜部７、８には、図７および図８に示すように、前後一対のばね部材３１、３２の各下部が配置する下側収納凹部７ａ、８ａがそれぞれ上側に開放されて設けられている。これら各下側収納凹部７ａ、８ａの底部側面には、板挿入孔７ｂ、８ｂがそれぞれ設けられている。また、楽器ケース５の脚部６の下面には、図７および図９に示すように、前後一対のばね部材３１、３２の各上部が配置する上側収納凹部６ａ、６ｂがそれぞれ下側に開放されて設けられている。
【００４８】
前後一対のばね部材３１、３２は、図７〜図９に示すように、それぞれコイルばねである。これら前後一対のばね部材３１、３２のうち、前側のばね部材３１は、その下部が前側の傾斜部７の下側収納凹部７ａ内に配置され、かつ前側のばね部材３１の上部が脚部６の上側収納凹部６ａ内に配置され、この状態で前側の傾斜部７に対応する脚部６の下面を弾力的に押し上げる方向に付勢するように構成されている。
【００４９】
また、後側のばね部材３２は、図７〜図９に示すように、その下部が後側の傾斜部８の下側収納凹部８ａ内に配置され、かつ後側のばね部材３２の上部が脚部６の上側収納凹部６ｂ内に配置され、この状態で後側の傾斜部８に対応する脚部６の下面を弾力的に押し上げる方向に付勢するように構成されている。
【００５０】
一方、前後の固定部材３３、３４のうち、前側の固定部材３３は、図７および図８に示すように、前側のばね部材３１の下部を敷台３に固定するものであり、金属板によって形成されている。すなわち、この前側の固定部材３３は、その一端部が下側収納凹部７ａの板挿入孔７ｂから下側収納凹部７ａ内に挿入した状態で、他端部が敷台３内の下面に設けられたボス３ａにビス３５によって取り付けられることにより、前側のばね部材３１の下部を下側収納凹部７ａ内に固定するように構成されている。
【００５１】
この場合、前側のばね部材３１の上部は、図７および図９に示すように、楽器ケース５の脚部６の下面に取り付けられた補強板２２の前端部２２ａが脚部６の上側収納凹部６ａ内に対応する箇所に向けて突出し、この突出した補強板２２の前端部２２ａが前側のばね部材３１の上部に側方から差し込まれることによって、脚部６の上側収納凹部６ａ内に固定されるように構成されている。
【００５２】
同様に、後側の固定部材３４は、図７および図８に示すように、後側のばね部材３２の下部を敷台３に固定するものであり、金属板によって形成されている。すなわち、この後側の固定部材３４は、その一端部が下側収納凹部８ａの板挿入孔８ｂから下側収納凹部８ａ内に挿入した状態で、他端部が敷台３内の下面に設けられたボス３ｂにビス３５によって取り付けられることにより、後側のばね部材３２の下部を下側収納凹部８ａ内に固定するように構成されている。
【００５３】
この場合にも、後側のばね部材３２の上部は、図７および図９に示すように、楽器ケース５の脚部６の下面に設けられた補強板２２の後端部２２ｂが脚部６の上側収納凹部６ｂ内に対応する箇所に向けて突出し、この突出した補強板２２の後端部２２ｂが後側のばね部材３２の上部に側方から差し込まれることによって、脚部６の上側収納凹部６ｂ内に固定されるように構成されている。
【００５４】
次に、このような転倒防止装置３０の作用について説明する。
まず、楽器ケース５の両側下部に位置する脚部６を一対の敷台３上に配置する。このときには、第１実施形態と同様に、前後一対の位置規制部１０、１１によって楽器ケース５の脚部６を敷台３上に位置規制して配置する。また、このときには、前後一対のばね部材３１、３２を敷台３と楽器ケース５の脚部６との間に配置する。
【００５５】
この場合には、まず、脚部６の各上側収納凹部６ａ、６ｂ内に前後のばね部材３１、３２の各上部をそれぞれ挿入させ、この状態で補強板２２の前後の各端部２２ａ、２２ｂを上側収納凹部６ａ、６ｂ内に対応する箇所に向けてそれぞれ突出させてばね部材３１、３２の各上部に側方から差し込み、この状態で補強板２２を脚部６の下面に取り付ける。これにより、前後のばね部材３１、３２の各上部が補強板２２によって脚部６の各上側収納凹部６ａ、６ｂ内に挿入された状態で取り付けられる。
【００５６】
この状態で、楽器ケース５の脚部６を敷台３上に配置する。このときには、前後のばね部材３１、３２の各下部を敷台３の各下側収納凹部７ａ、８ａ内にそれぞれ挿入させる。そして、前後の固定部材３３、３４の各一端部をそれぞれ下側収納凹部７ａ、８ａの各板挿入孔７ｂ、８ｂから下側収納凹部７ａ、８ａ内にそれぞれ挿入させた状態で、前後の固定部材３３、３４の各他端部を敷台３内の下面に設けられたボス３ａ、３ｂにビス３５によってそれぞれ取り付ける。これにより、前後一対のばね部材３１、３２が敷台３と楽器ケース５の脚部６との間に配置される。
【００５７】
これにより、楽器ケース５の脚部６が前後一対の位置規制部１０、１１によって位置規制されて敷台３の載置部９上に配置され、この状態で敷台３の前側の傾斜部７に対応する脚部６の下面が前側のばね部材３１のばね力によって弾力的に押し上げられると共に、敷台３の後側の傾斜部８に対応する脚部６の下面が後側のばね部材３２のばね力によって弾力的に押し上げられる。
【００５８】
このため、楽器ケース５が前後方向に傾いても、前後一対の位置規制部１０、１１のいずれか一方によって楽器ケース５の脚部６が前後方向に移動することがなく、かつ前後一対のばね部材３１、３２の各ばね力によって楽器ケース５が元の位置に押し戻されるので、敷台３上に鍵盤楽器２が安定した状態で保持される。
【００５９】
すなわち、図１０に示すように、楽器ケース５が前方（図１０では左側）に傾いた際には、前側の位置規制軸部１２における一対の支持部１６間の係止軸１７に、補強板２２の凹溝部２３が係合しているので、後側の位置規制部１１における後側の位置規制凹部１５が後側の位置規制軸部１３から上方に離脱しても、楽器ケース５の脚部６の下面が前側の傾斜部７に沿って滑り下りることがないばかりか、鍵盤楽器２全体の重量が前側の位置規制軸部１２の係止軸１７に集中しても、その集中した重量が敷台３の前後方向に沿って分散される。
【００６０】
このため、鍵盤楽器２全体の重量を敷台３の下面全体で受け止めることにより、楽器ケース５が転倒せずに、敷台３によって鍵盤楽器２が安定した状態で保持される。また、このときには、楽器ケース５が前方（図１０では左側）に傾くと、脚部６の下面によって前側のばね部材３１が押し下げられて収縮し、この収縮した前側のばね部材３１のばね復帰力によって、脚部６の下面が押し上げられると共に、後側のばね部材３２がそのばね力に抗して引き伸ばされ、この引き伸ばされた後側のばね部材３２のばね復帰力によって、脚部６の下面が引き下げられる。
【００６１】
これにより、楽器ケース５が前後一対のばね部材３１、３２の各ばね力によって強制的に元の状態に押し戻されるので、図７および図１０に示すように、楽器ケース５が転倒することなく、鍵盤楽器２が安定した状態で保持されると共に、鍵盤楽器２の重心が敷台３の前側の位置規制部１０よりも前方（図１０では左側）に移動することがなく、この鍵盤楽器２の重心が元の位置に移動することによって、楽器ケース５が転倒することなく、鍵盤楽器２が安定した状態で保持される。
【００６２】
同様に、図１１に示すように、楽器ケース５が後方（図１１では右側）に傾いた際に、後側の位置規制軸部１３における一対の支持部１９間の係止軸２０に、補強板２２の凹溝部２６が係合しているので、前側の位置規制部１０における前側の位置規制凹部１４が前側の位置規制軸部１２から上方に離脱しても、楽器ケース５の脚部６の下面が後側の傾斜部８に沿って滑り下りることがないばかりか、鍵盤楽器２全体の重量が後側の位置規制軸部１３の係止軸２０に集中しても、その集中した重量が敷台３の前後方向に沿って分散される。
【００６３】
このため、鍵盤楽器２全体の重量を敷台３の下面全体で受け止めることにより、楽器ケース５が転倒せずに、敷台３によって鍵盤楽器２が安定した状態で保持される。また、このときには、楽器ケース５が後方（図１１では右側）に傾くと、脚部６の下面によって後側のばね部材３２が押し下げられて収縮し、この収縮した後側のばね部材３２のばね復帰力によって、脚部６の下面が押し上げられると共に、前側のばね部材３１がそのばね力に抗して引き伸ばされ、この引き伸ばされた前側のばね部材３１のばね復帰力によって、脚部６の下面が引き下げられる。
【００６４】
これにより、楽器ケース５が前後一対のばね部材３１、３２の各ばね力によって強制的に元の状態に押し戻されるので、図７および図１１に示すように、楽器ケース５が転倒することなく、鍵盤楽器２が安定した状態で保持されると共に、鍵盤楽器２の重心が敷台３の前側の位置規制部１０よりも後方（図１１では左側）に移動することがなく、この鍵盤楽器２の重心が元の位置に移動することによっても、楽器ケース５が転倒することなく、鍵盤楽器２が安定した状態で保持される。
【００６５】
このように、この転倒防止装置３０によれば、第１実施形態と同様の作用効果があるほか、敷台３の前後一対の傾斜部７、８とこれに対向する楽器本体５の脚部６の下面との間にそれぞれ配置されて前記脚部６を弾力的に押し上げる方向に付勢する前後一対のばね部材３１、３２を備えているので、楽器ケース５が前後方向に傾く際に、楽器ケース５の傾きを緩衝することができると共に、一対のばね部材３１、３２のばね力によって楽器ケース５の傾きを元の状態に弾力的に押し戻すことができ、これにより第１実施形態よりも、楽器ケース５を安定した状態で確実にかつ良好に保持することができる。
【００６６】
この場合、前後一対のばね部材３１、３２は、敷台３と楽器ケース５の脚部６とにそれぞれ固定部材３３、３４および補強板２２の前後の各端部２２ａ、２２ｂによって固定されているので、前後一対のばね部材３１、３２の各下部を固定部材３３、３４によって敷台３の前後一対の傾斜部７、８にそれぞれ固定することができると共に、前後一対のばね部材３１、３２の各上部を固定部材である補強板２２の前後の各端部２２ａ、２２ｂによってそれぞれ固定することができ、これにより安定した状態で各ばね部材３１、３２を確実にかつ良好に伸縮させることができる。
【００６７】
このため、楽器ケース５が前後方向に傾いても、前後一対の位置規制部１０、１１のいずれか一方によって楽器ケース５の脚部６が前後方向に移動することがなく、かつ前後一対のばね部材３１、３２の各ばね力によって楽器ケース５を強制的に元の位置に押し戻すことができるので、鍵盤楽器２を敷台３上に安定した状態で保持することができる。すなわち、前後一対のばね部材３１、３２は、一方が収縮すると、他方が引き伸ばされるので、一対のばね部材３１、３２の各ばね力によって楽器ケース５を強制的に元の位置に押し戻すことができる。このため、第１実施形態よりも、鍵盤楽器２を敷台３上に安定した状態で保持することができる。
【００６８】
なお、上述した第２実施形態では、敷台３と楽器ケース５の脚部６との間に、付勢部材として、前後一対のばね部材３１、３２を配置した場合について述べたが、必ずしもばね部材３１、３２はコイルばねである必要はなく、例えば板ばねやトーションばねなどのばね部材であっても良く、またゴムやエラストマーなどの弾性部材であっても良く、さらに衝撃を緩衝するダンパー部材などであっても良い。
【００６９】
また、上述した第１、第２の各実施形態では、前後一対の位置規制部１０、１１における前後一対の位置規制軸部１２、１３を敷台３に設け、前後一対の位置規制凹部１４、１５を楽器ケース５の脚部６の下面に設けた場合について述べたが、これに限らず、例えば前後一対の位置規制軸部１２、１３を楽器ケース５の脚部６の下面に設け、前後一対の位置規制凹部１４、１５を敷台３に設けた構成であっても良い。
【００７０】
さらに、上述した第１、第２の各実施形態では、鍵盤楽器２に適用した場合について述べたが、必ずしも鍵盤楽器２である必要はなく、例えば箪笥や机などの家具にも適用することができる。
【００７１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７２】
（付記）
請求項１に記載の発明は、筺体の両側下部にそれぞれ配置され、その各上面における前後の両端部に、前記筐体を前後方向に傾かせるための前後一対の傾斜部を設けると共に、これら前後一対の傾斜部間に平坦な載置部を設けた一対の敷台と、前記載置部と前記一対の傾斜部との各境界部にそれぞれ設けられて、前記筺体の前後方向の位置を規制する前後一対の位置規制部とを備えていることを特徴とする転倒防止装置である。
【００７３】
請求項２に記載の発明は、請求項１に記載の転倒防止装置において、前記一対の傾斜部は、これらに前記筐体の下面がそれぞれ当接した際に、前記筐体の重心が前記一対の位置規制部間に対応する範囲内で移動する傾斜角度にそれぞれ形成されていることを特徴とする転倒防止装置である。
【００７４】
請求項３に記載の発明は、請求項１または請求項２に記載の転倒防止装置において、前記一対の位置規制部は、前記載置部と前記一対の傾斜部との各境界部にそれぞれ設けられた前後一対の位置規制軸部と、前記筐体の下面に設けられて前記一対の位置規制軸部がそれぞれ回転可能に係合する前後一対の位置規制凹部とを備えていることを特徴とする転倒防止装置である。
【００７５】
請求項４に記載の発明は、請求項１〜請求項３のいずれかに記載の転倒防止装置において、前記敷台の前記一対の傾斜部とこれに対向する前記筐体の下面との間にそれぞれ配置され、かつ前記筐体を弾力的に押し上げる方向に付勢する前後一対の付勢部材を備えていることを特徴とする転倒防止装置である。
【００７６】
請求項５に記載の発明は、請求項４に記載の転倒防止装置において、前記付勢部材を前記敷台と前記筐体とにそれぞれ固定するための固定部材を備えていることを特徴とする転倒防止装置である。
【００７７】
請求項６に記載の発明は、請求項１〜請求項５のいずれかに記載の転倒防止装置において、前記筐体は鍵盤楽器の楽器ケースであり、前記一対の敷台は前記楽器ケースの両側にそれぞれ設けられた脚部が配置されることを特徴とする転倒防止装置である。
【符号の説明】
【００７８】
１、３０  転倒防止装置
２  鍵盤楽器
３  敷台
５  楽器ケース
６  脚部
７、８  傾斜部
９  載置部
１０、１１  位置規制部
１２、１３  位置規制軸部
１４、１５  位置規制凹部
１６、１９  支持部
１７、２０  係止軸
２２  補強板
２２ａ  補強板の一端部
２２ｂ  補強板の他端部
２３、２６  凹溝部
３１、３２  ばね部材
３３、３４  固定部材
【図１】
2014140507.tif 000003
【図２】
2014140507.tif 000004
【図３】
2014140507.tif 000005
【図４】
2014140507.tif 000006
【図５】
2014140507.tif 000007
【図６】
2014140507.tif 000008
【図７】
2014140507.tif 000009
【図８】
2014140507.tif 000010
【図９】
2014140507.tif 000011
【図１０】
2014140507.tif 000012
【図１１】
2014140507.tif 000013